(57)【要約】  【課題】  アオコ分解菌としての働きをする微生物に着眼し、微生物が多量に且つ長期的に繁殖維持する技術を提供するものである。環境汚染を招かないで、装置的に大掛かりでない技術を提供する。 【解決手段】  本発明の有機汚濁物の処理剤は、アオコや油脂を分解させる能力を有する微生物が糸状菌、放線菌、枯草菌、酵母菌群の少なくともいずれか一つを含む菌類とし、該菌類に対して海藻エキス粉末および焼海塩を加え、炭酸水素カリウムの賦形剤を付与してなることを特徴とする。【選択図】  図１
2005288341.tif 000002
【特許請求の範囲】
【請求項１】
アオコを分解させる能力を有する糸状菌、放線菌、枯草菌、酵母菌のうち少なくともいずれか一つの菌類を含み、該菌類に対して海藻エキス粉末および焼海塩を加え、炭酸水素カリウムの賦形剤を付与し、有機汚濁物を分解することを特徴とする有機汚濁物の処理剤。
【請求項２】
海藻エキス粉末を１〜２％程度加えることを特徴とする請求項１記載の有機汚濁物の処理剤。
【請求項３】
焼海塩を１〜２％程度加えることを特徴とする請求項１〜２記載の有機汚濁物の処理剤。  
【請求項４】
糸状菌、放線菌、枯草菌、酵母菌などの菌類が、湖沼の水底や配管の内壁から剥離浮遊することを可能とする自己撹拌を起こしながら移動させるための炭酸水素カリウムを６０〜８０％程度加えることを特徴とする請求項１〜３記載の有機汚濁物の処理剤。  
【発明の詳細な説明】
【技術分野】
【０００１】
本発明は、アオコや、油脂、その他悪臭成分などの有機物（以下これを有機汚濁物という）を長期間に渡って分解可能とする微生物で形成する有機汚濁物の処理剤に関する。
【背景技術】
【０００２】
近年、自然界において、琵琶湖などの湖沼では栄養価が著しく富み、これに伴なって藍藻類であるアオコが異常発生し、景観はもとより異臭の発生、更には魚貝類の生態変化も見られるなど、様々な社会問題にまで進展している。この問題を根本的に解決するためには湖沼に流入する水質を改善することが必要であり、汚濁物質、窒素、リンなどの流入を削減することが必要である。しかし現在の湖沼浄化方法は、アオコを回収して焼却処分する方法であり、装置的には大掛かりとなって重労働となっている。
以上は、湖沼など閉鎖性淡水域における湖沼底質の回復技術状況であるが、富栄養化による影響は閉鎖性海域にも及んでいる。赤潮と呼ばれるべん毛藻類や珪藻類などの異常増殖浄化方法は、アオコを回収して焼却処分する方法と同様に珪藻類を回収焼却する方法で対処している。
また湖水、海水だけでなく、殺菌の必要性はその他いたる所に及び、該殺菌には塩素系の化学薬品による散布処理方法が行われているが、この方法は微量で迅速に殺菌効果が発揮される特徴があるものの、フェノール類の存在下でクロロフェノール化を起こして悪臭の原因を作ったり、あるいは発ガン性成分に変性されて新たな環境汚染を誘発する欠点がある。
一方、街中における下水管や、水耕栽培における循環配管では、排水や循環水に混入される油脂が原因となって配管内壁に雑排水有機汚濁物や肥料が付着蓄積し、配管口径が縮小されてしまう問題も存する。
【０００３】
これらの問題点を解決するために、特許文献１において、湖沼に発生するアオコを分解および凝集させて湖底に沈降固定し、しかる後に自然消滅する澱粉由来の生分解性プラスチックを使用する方法が提案されている。しかしながら、アオコを分解沈降させる該固定化単体プラスチックは、アオコが完全に分解されなければ再び発生の危険性を抱えている。また水底ではアオコの存亡が分かり難いという欠点があり、長期的な効果が確認できていない。
【特許文献１】特開第２０００−２５４６８６号
【発明の開示】
【発明が解決しようとする課題】
【０００４】
そこで本発明は、アオコ分解菌としての働きをする微生物に着眼し、微生物が多量に且つ長期的に繁殖維持し、又、環境汚染を招かず、装置的に大掛かりでない技術を提供するものである。
【課題を解決するための手段】
【０００５】
上記目的を達成するために、請求項１記載の有機汚濁物の処理剤は、アオコを分解させる能力を有する糸状菌、放線菌、枯草菌、酵母菌のうち少なくともいずれか一つの菌類を含み、該菌類に対して海藻エキス粉末および焼海塩を加え、炭酸水素カリウムの賦形剤を付与し、有機汚濁物を分解することを特徴とする。
【０００６】
請求項２記載の有機汚濁物の処理剤は、糸状菌、放線菌、枯草菌、酵母菌などの菌類が多量に繁殖するための海藻エキス粉末を１〜２％程度加えることを特徴とする。
【０００７】
請求項３記載の有機汚濁物の処理剤は、糸状菌、放線菌、枯草菌、酵母菌などの菌類が長期的に繁殖を維持するための焼海塩を１〜２％程度加えることを特徴とする。  
【０００８】
請求項４記載の有機汚濁物の処理剤は、糸状菌、放線菌、枯草菌、酵母菌などの菌類が、湖沼の水底や配管の内壁から剥離浮遊することを可能とする自己撹拌を起こしながら移動させるための炭酸水素カリウムを６０〜８０％程度加えることを特徴とする。  
【発明の効果】
【０００９】
本発明有機汚濁物の処理剤は、糸状菌、放線菌、枯草菌、酵母菌などの微生物を利用しているので環境汚染を発生させない。大掛かりな装置を使用する必要がなく、該微生物で形成された錠剤の散布でアオコや油脂を分解することができる。また該微生物は海藻エキス粉末や焼海塩を加えているので、多量に且つ長期的に繁殖でき、長期に渡って湖沼や配管を浄化することができる。炭酸水素カリウムが該錠剤に含有しているのでアオコや油脂を水底や配管内壁から容易に分解離脱させることができる。指定区域において１週間に数個程度の錠剤投与で分解離脱効果が現れ、長期的な効果が期待できる。
【発明を実施するための最良の形態】
【００１０】
この発明の実施の形態を、表１および図１、図２、図３、図４、図５に基づいて説明する。先ず、本発明の原料である糸状菌、放線菌、枯草菌、酵母菌について説明する。
糸状菌、放線菌、枯草菌、酵母菌は、古くから種々の醸造や醗酵、食品工業に利用される微生物で核膜に囲まれた核を持つ真核菌類である。これらの微生物はアオコ分解能力を保有する菌であり、その挙動が注目されている。
しかし、該微生物の成長には糖分を使う事例があるが、この糖分は、微生物の成長に対して即効性はあるものの、消費されるのが急ですぐにその効果がなくなってしまうという欠点がある。
【００１１】
そこで本発明は、該微生物が長期的に増殖しながらアオコ分解能力を維持できる組成を実現しようとするものである。
以下、微生物保持剤としての組成を表１に示し、この表に基づいて各組成の機能を説明する。
表１は、糸状菌、放線菌、枯草菌、酵母菌などの微生物のうち酵母菌を使用した場合の組成である。この微生物の持つアオコ分解機能を長期的に保持するために海藻エキス粉末、焼海塩、炭酸水素カリウムなどを配合した。
【００１２】
【表１】
2005288341.tif 000003
【００１３】
次に、この組成表に基づき、有機汚濁物の処理剤の組成の一つである海藻エキス粉末について説明する。
海藻エキス粉末は、海藻から抽出した濃縮なエキスで、海藻特有のアルギン酸、マンニット、ラミナリンなどの多糖類や各種ミネラル特にヨウ素を多量に含有し、更にはビタミン、アミノ酸、植物ホルモンなどが豊富に含み、酵母菌など微生物が長期に渡って増殖するための栄養を供給する。即ち、従来においては、前述の如く、酵母菌など微生物の成長には糖分を使っても、即効性はあるものの、消費が急ですぐにその効果がなくなってしまうものである。これに対し、本発明海藻エキスは、上述の如く、多糖類にヨウ素を初めとするミネラル、及びビタミン、アミノ酸、植物ホルモン等が含まれ、長期的に糸状菌等の微生物の増殖を促す作用を発揮する。その量は、１±０.５％が妥当である。多すぎると含有する窒素、リン酸、カリ成分によりアオコの成長を助長し、酵母菌など微生物の成長だけに留まらなくなってしまう。
【００１４】
更に、有機汚濁物の処理剤の組成の二つ目である焼海塩について説明する。
焼海塩は、海水から得られる海塩を８００℃以上で焼いたものであり、その主成分は塩化ナトリウムであるが、苦汁成分である塩化マグネシウムを多く含み、ミネラルの含有率は並塩の７倍あり、焼くことにより通常の塩と異なってその性質を中性からアルカリ性に転化し、微生物が生命維持する働きを促す。その結果、海藻エキスとの相乗効果により微生物が長期的に繁殖するものとなり、該焼海塩の配合量は海藻エキスと同一で、１±０.５％が適量である。
【００１５】
そして、有機汚濁物の処理剤の組成の三つ目である炭酸水素カリウムについて説明すると、該炭酸水素カリウムは、発泡剤としての効果と植物病原菌の消滅作用効果を保有している。
該炭酸水素カリウムが水に投与されると、保有している炭酸水素イオンは急速に水と炭酸ガスに遊離し、その発泡力で湖沼中の菌や栄養分を撹拌させることができ、拡散効果を起こす。水底に沈んでいるアオコをその発泡力と拡散効果により湖沼表面に浮かび上がらせ、該微生物で分解処理を可能とする。
更に、成分としてのカリウムイオンは植物病原菌などに高い治療効果を示す。効果は速効的で、植物病原菌の細胞に入り込み、細胞内のイオンバランスを崩し、細胞機能に障害を起こし病斑を消滅させる効果を有している。
【００１６】
最後に、有機汚濁物の処理剤の組成の四つ目である賦形剤を添加している。主成分はコハク酸、ＰＥＧ6000などとしている。
【実施例１】
【００１７】
上記配合の微生物保持剤を使用して、那須ちふり湖カントリークラブの池に対する浄化実験を実施した。池の水量は約3000ｔとし、本発明有機汚濁物処理剤７０個（１個50ｇ）を８日間かけて池に投入した。その経過状況を図１、図２および図３に従って説明する。
【００１８】
図１は、実験開始前のアオコとアオミドロの現状確認状況を示す。この直後に初回として、本発明処理剤を池の中心地点に１５個、池の淵に１５個を投入した。
図２は、実験開始日から３日経過後の微生物によるアオコとアオミドロの分解状況を示す。アオミドロは細かく分解され、茶色に変色して池に透明度が出てきた。更に完璧を期すためにこの直後に本発明処理剤を２０個投入し、次回の確認を待つこととした。
その後、さらに２日経過後の確認では池の水は透明度を増し、完璧に消えつつある状態となり、池の水底に張り巡らしている網にアオミドロが少々付着している様子なので、その場所に集中的に本発明処理剤を１０個投入した。
図３は、実験開始日から８日経過後の微生物によるアオコとアオミドロの分解状況を示す。水質は透明度を増し、薄く見えていた網がはっきり確認できるようになった。そこで今後の予防のため本発明処理剤を１０個投入し、完了とした。現在は、水質浄化の経過観察中である。
【実施例２】
【００１９】
水耕栽培で使用している配管の内壁には循環させている肥料の一部がこびりつき、やがて配管全てが特定の肥料が有機汚濁物として埋まってしまい、遂には野菜に必要な肥料が届かなくなり、野菜の全滅状態に陥る状況が発生する。このような場合、本発明の微生物保持剤を使用してアオコばかりでなく、配管内壁を塞いでいた該有機汚濁物を徐々に脱落させることができ、野菜の生理障害の克服ができた。
【００２０】
化学肥料が配管の内壁にこびりついて固化し、この固化物を脱落さるために、水耕栽培の肥料を投与する２０トン用地下タンクに、本発明処理剤を１週目及び２週目は４０個、３週目及び４週目は３０個、５週目及び６週目には２０個とし、総計で１８０個を投与した。
すると、その３ヶ月後、配管からヘドロと化した肥料が流れ出し、きれいになり、該配管内壁に付着していた固化物がはがれ、化学肥料の全てが野菜に届くようになり、野菜の成長を見ることができた。化学肥料の一部が固化することにより、濃度障害を引き起こしていたのである。
【実施例３】
【００２１】
男子用便器の尿石対策として、本発明処理剤を１週間に１個の割合で各小便器に投与した。その施工前後について、図４および図５で説明する。
【００２２】
図４は、小便器にある配尿管口の蓋部が尿石で固着して取れ難くなり、定期的な清掃が困難な状況にあることを示している。該蓋に懸かるように本発明処理剤を１個投与し、１週間の経過観察を行った。
投与１週間後、図５にあるように、蓋の周りの赤みが消滅し、蓋が容易に取り外せ、清掃が楽にできるようになった。
【実施例４】
【００２３】
排水に油脂などが多量に含まれた状態で垂れ流されれば、配水管の詰まりや損傷に繋がる。これを防ぐために、厨房等には油脂分離装置グリストラップが設置されているが、一方で該グリストラップのメンテナンスを怠ると油脂等がヘドロ状スカムに変質し、更には環境破壊を起こして遂には悪臭、害虫の発生、病原菌の発生、環境汚染など、様々なトラブルが発生する。
そこで、厨房での作業が終了した時点で、グリストラップの中に本発明処理剤を５個投与した。汚染度合に従うが、約１週間で効果が現れ、次の第２週目で２個、第３週目で１個と投与個数を減少させながら投入を繰り返した。
その結果、投与から４週間、投与個数１０個で、グリストラップに溜まった油脂を分解し、脱臭効果が現れた。
【産業上の利用可能性】
【００２４】
本発明は、アオコ分解能力を有する糸状菌、放線菌、枯草菌、酵母菌を保持する配合形成により長期間安定した自然環境保全に利用できるものであり、海、沼湖等でのアオコ、赤潮等の処理、配管類の浄化、悪臭防止、トイレの尿石分解、グリストラップの油の分解等に応用が可能である。
【図面の簡単な説明】
【００２５】
【図１】実験開始前のアオコとアオミドロの現状確認状況を示す斜視図。
【図２】微生物によるアオコの分解状況を示す斜視図。
【図３】透明度を増した湖水面状況を示す斜視図。
【図４】施工前の小便器の平面図。
【図５】施工後の小便器の平面図。
【図４】
2005288341.tif 000004
【図５】
2005288341.tif 000005
【図１】
2005288341.tif 000006
【図２】
2005288341.tif 000007
【図３】
2005288341.tif 000008